(57)【要約】【課題】ＰＶパネルの発電による所定物理量の測定結果データの送受信を行う通信子機と通信親機との間の通信品質に応じて、通信子機及び通信親機における通信相手の登録の優先度を適応的に変更する。【解決手段】データ収集システムは、複数の太陽光パネルにおける発電に関するデータを収集し、所定数の通信子機を割当可能な複数の通信親機と、少なくとも１つの太陽光パネルにおける太陽光発電の所定物理量のデータを、割り当てられた通信親機に送信する複数の通信子機と、各通信親機に割り当てる通信子機を選択する通信機器割当装置と、を備える。通信機器割当装置は、各通信親機と各通信子機との間で伝送される各信号の強度を基に、各通信親機に所定数以下の通信子機を割り当てる。【選択図】図６
2015192382.tif 000002
【特許請求の範囲】
【請求項１】
複数の太陽光パネルにおける発電に関するデータを収集するデータ収集システムであって、
所定数の通信子機を割当可能な複数の通信親機と、
少なくとも１つの太陽光パネルにおける太陽光発電の所定物理量のデータを、割り当てられた通信親機に送信する複数の通信子機と、
各通信親機に割り当てる通信子機を選択する通信機器割当装置と、を備え、
前記通信機器割当装置は、
各通信親機と各通信子機との間で伝送される各信号の強度を基に、各通信親機に前記所定数以下の通信子機を割り当てる、
データ収集システム。
【請求項２】
請求項１に記載のデータ収集システムであって、
前記複数の通信親機には第１の通信親機が含まれ、
前記通信機器割当装置は、
前記各信号の強度において、前記第１の通信親機との間で伝送される信号の強度が最大となる通信子機の少なくとも一部を前記第１の通信親機に割り当てる、
データ収集システム。
【請求項３】
請求項１に記載のデータ収集システムであって、
前記複数の通信子機には第１の通信子機及び第２の通信子機が含まれ、
前記通信機器割当装置は、
前記第１の通信子機及び各通信親機間を伝送される各信号の強度を含む第１の信号強度群と、前記第２の通信子機及び各通信親機間を伝送される各信号の強度を含む第２の信号強度群とに基づいて、前記第１の通信子機に割り当てる通信親機を選択する、
データ収集システム。
【請求項４】
請求項３に記載のデータ収集システムであって、
前記通信機器割当装置は、
第１の信号強度群において所定の閾値を超える信号強度が１つである場合、前記所定の閾値を超える信号強度に対応する通信親機に前記第１の通信子機を割り当てる、
データ収集システム。
【請求項５】
請求項３に記載のデータ収集システムであって、
前記通信機器割当装置は、
第１の信号強度群において所定の閾値を超える信号強度が複数である場合、前記第１の信号強度群及び前記第２の信号強度群を基に、前記第１の通信子機に割り当てる通信親機を選択する、
データ収集システム。
【請求項６】
請求項５に記載のデータ収集システムであって、
前記複数の通信親機には第１の通信親機が含まれ、
前記通信機器割当装置は、
前記第１の信号強度群及び前記第２の信号強度群において、最大となる信号強度に対応する通信親機が共に前記第１の通信親機である場合、前記第１の通信親機に対応する各最大信号強度と他の１つ以上の通信親機に対応する各信号強度の平均値との差分が大きい前記第１の通信子機又は前記第２の通信子機を、前記第１の通信親機に優先して割り当てる、
データ収集システム。
【請求項７】
請求項１に記載のデータ収集システムであって、
前記通信機器割当装置は、
情報又はデータを表示する表示部、を有し、
前記通信子機を所定の通信親機に割り当てた旨、又は前記通信子機を所定の通信親機に割り当てなかった旨を表示する表示部を更に備える、
データ収集システム。
【請求項８】
請求項１に記載のデータ収集システムであって、
前記データ収集システムは、
前記複数の通信子機と前記複数の通信親機と前記通信機器割当装置とを含む、複数のサブデータ収集システムと、
前記複数のサブデータ収集システムに基準時刻情報を送信する時刻調整サーバと、を有し、
前記複数のサブデータ収集システムの各通信機器割当装置は、
前記時刻調整サーバから送信された基準時刻情報を基に、前記各通信機器割当装置における基準時刻を同期させる、
データ収集システム。
【請求項９】
請求項１に記載のデータ収集システムであって、
前記データ収集システムは、
前記複数の通信子機と前記複数の通信親機と前記通信機器割当装置と太陽光の日射量を測定する日射量計とを含む、複数のサブデータ収集システムを有し、
前記複数のサブデータ収集システムの各通信機器割当装置は、
前記各日射量計により測定された前記太陽光の日射量が所定の日射量閾値を超えた時刻を、前記各通信機器割当装置における基準時刻として設定する、
データ収集システム。
【請求項１０】
請求項１に記載のデータ収集システムであって、
前記データ収集システムは、
前記複数の通信子機と前記複数の通信親機と前記通信機器割当装置とを含む、複数のサブデータ収集システムを有し、
前記複数のサブデータ収集システムの各通信機器割当装置は、
前記各サブデータ収集システムの特定の太陽光パネルにおける発電電流の平均値が所定の発電電流閾値を超えた時刻を、前記各通信機器割当装置における基準時刻として設定する、
データ収集システム。
【請求項１１】
複数の通信子機及び複数の通信親機によって、複数の太陽光パネルにおける発電に関するデータを収集するデータ収集システムにおける通信機器登録方法であって、
所定数の通信子機を割当可能な各通信親機に割り当てる通信子機を選択するステップと、
各通信子機において、少なくとも１つの太陽光パネルにおける太陽光発電の所定物理量のデータを割り当てられた通信親機に送信するステップと、を有し、
各通信親機は、
各通信子機各通信親機と各通信子機との間で伝送される各信号の強度を基に、各通信親機に前記所定数以下の通信子機を割り当てる、
通信機器登録方法。
【発明の詳細な説明】
【技術分野】
【０００１】
本発明は、測定情報の送受信を行う通信機器を登録するデータ収集システム及び通信機器登録方法に関する。
【背景技術】
【０００２】
従来から、太陽光発電パネル（以下、「ＰＶ（Photo Voltaic）パネル」という）を用いて、太陽光エネルギーを電気エネルギーに変換することで発電を行う太陽光発電システムが普及している。太陽光発電システムでは、発電時に廃棄物、排水、騒音、振動が発生せず、非常用電源としても活用が期待されることから、環境的な観点も含めて近年特に注目されている。
【０００３】
太陽光発電システムでは、ＰＶパネルの発電により得られた所定のパラメータ（例えば発電電力量）のデータを測定する測定器が設けられ、この測定器は、有線又は無線のネットワークを介して接続された通信相手としての通信機器に対し、所定のパラメータの測定結果データを送信する。
【０００４】
ここで、例えばＰＶパネルの出力を含む物理量のデータを計測ユニットから無線通信によって送信する先行技術として、例えば特許文献１に示す通信システムが知られている。
【０００５】
特許文献１に示す通信システムは、各家電負荷の電流を計測する各計測ユニットと、電力を求める集計管理装置とを有する。各計測ユニットは、立ち上げ時に識別番号と起動通知データとを送信し、各計測ユニットに対応する家電負荷に流れる電流を一定周期毎に計測する。集計管理装置は、各計測ユニットから送信されてきた識別番号と起動通知データとを受信し、その識別番号を登録部に登録し、登録部に登録されている識別番号に基づいて各計測ユニットにデータ送信指令信号を送信する。各計測ユニットは、計測した計測データと識別番号とを集計管理装置に送信する。集計管理装置は、送信された計測データと識別番号とに基づいて、各家電負荷の電力を求める。
【先行技術文献】
【特許文献】
【０００６】
【特許文献１】特開２０１２−０６０７３８号公報
【発明の概要】
【発明が解決しようとする課題】
【０００７】
しかし、特許文献１の構成を、ＰＶパネルの発電により得られた所定のパラメータの測定器（子機）における測定結果データの通信相手となる通信機器（親機）が複数存在する大規模な太陽光発電システムに適用すると、親機は、例えば識別番号を送信してきた全ての子機を何の制約も無しに登録すると、親機と子機との間の通信品質によっては、どの親機にも登録されない子機があり得るという課題があった。
【０００８】
ここで、親機には通信対象となる子機の登録可能な台数が予め決められていることが多い。言い換えると、親機の通信対象となる子機の登録可能な台数が予め決められていないと、どの子機も親機と通信できるようになってしまうことがあるので、一部の子機と親機との間の通信品質（通信環境）が劣悪になり、他の子機と親機との通信品質に影響を及ぼす可能性が懸念される。
【０００９】
本発明は、上述した従来の課題を解決するために、ＰＶパネルの発電による所定物理量の測定結果データの送受信を行う通信子機と通信親機との間の通信品質に応じて、通信子機及び通信親機における通信相手の登録の優先度を適応的に変更するデータ収集システム及び通信機器登録方法を提供することを目的とする。
【課題を解決するための手段】
【００１０】
本発明は、複数の太陽光パネルにおける発電に関するデータを収集するデータ収集システムであって、所定数の通信子機を割当可能な複数の通信親機と、少なくとも１つの太陽光パネルにおける太陽光発電の所定物理量のデータを、割り当てられた通信親機に送信する複数の通信子機と、各通信親機に割り当てる通信子機を選択する通信機器割当装置と、を備え、前記通信機器割当装置は、各通信親機と各通信子機との間で伝送される各信号の強度を基に、各通信親機に前記所定数以下の通信子機を割り当てる、データ収集システムである。
【００１１】
また、本発明は、複数の通信子機及び複数の通信親機によって、複数の太陽光パネルにおける発電に関するデータを収集するデータ収集システムにおける通信機器登録方法であって、所定数の通信子機を割当可能な各通信親機に割り当てる通信子機を選択するステップと、各通信子機において、少なくとも１つの太陽光パネルにおける太陽光発電の所定物理量のデータを割り当てられた通信親機に送信するステップと、を有し、各通信親機は、各通信子機各通信親機と各通信子機との間で伝送される各信号の強度を基に、各通信親機に前記所定数以下の通信子機を割り当てる、通信機器登録方法である。
【発明の効果】
【００１２】
本発明によれば、ＰＶパネルの発電による所定物理量の測定結果データの送受信を行う通信子機と通信親機との間の通信品質に応じて、通信子機及び通信親機における通信相手の登録の優先度を適応的に変更することができる。
【図面の簡単な説明】
【００１３】
【図１】本実施形態の太陽光発電システムのシステム構成の一例を示す図
【図２】本実施形態の通信子機の内部構成の一例を詳細に示すブロック図
【図３】本実施形態の通信親機の内部構成の一例を詳細に示すブロック図
【図４】本実施形態のデータロガーの内部構成を詳細に示すブロック図
【図５】（Ａ）受信レベルが安定通信可能レベルを超える通信親機が１つだけある場合の登録の優先度の説明図、（Ｂ）受信レベルが安定通信可能レベルを超える通信親機が複数ある場合の登録の優先度の説明図
【図６】本実施形態の１つの通信子機と２つの通信親機とデータロガーとにおける通信相手の登録手順を説明するシーケンス図
【図７】本実施形態のデータロガーにおける通信子機及び通信親機間の通信相手の登録に関するシミュレーション結果を示すグラフ
【図８】（Ａ）通信の干渉が生じない場合の各サブ太陽光発電システムの配置例を示す説明図、（Ｂ）通信の干渉が生じる場合の各サブ太陽光発電システムの配置例を示す説明図
【図９】（Ａ）本変形例の各サブ太陽光発電システム間におけるデータ収集可能時間の制御方法を示す説明図、（Ｂ）本変形例のサブ太陽光発電システム毎のデータ収集可能時間の説明図
【図１０】（Ａ）、（Ｂ）従来技術における課題の説明図
【発明を実施するための形態】
【００１４】
（本実施形態の内容に至る経緯）
先ず、本発明に係るデータ収集システム及び通信機器登録方法の実施形態（以下、「本実施形態」という）の内容を説明する前に、本実施形態のデータ収集システム及び通信機器登録方法の内容に至る経緯について、図１０（Ａ）及び図１０（Ｂ）を参照して説明する。図１０（Ａ）及び図１０（Ｂ）は、従来技術における課題の説明図である。
【００１５】
太陽光発電システムでは、例えば複数のＰＶパネルが直列に接続された構成（以下、「ストリング」という）が１つ以上設けられ、太陽光発電の測定情報（例えば各ストリングを流れる電流（以下、「発電電流」という））は、例えば無線通信機能を有する測定器（以下、「通信子機」又は「子機」という）により測定される。子機は、ストリング毎に１つ設けられ、子機自身が測定した発電電流の測定結果データを、無線通信によって、通信対象として登録されている通信相手（以下、「通信親機」又は「親機」という）に送信する。
【００１６】
従来の太陽光発電システムでは、子機と親機との間の通信対象としての登録処理は人為的な作業により行われることが多い。即ち、登録処理の作業者は、太陽光発電システムの設置場所に行き、無線環境の調査作業、子機と親機との間の無線ネットワークの設計作業及び子機と親機との間の通信対象としての登録情報の書き込み作業を行う必要があった。子機と親機との間のネットワーク設計作業は無線通信環境を想定して行われるので、有線通信環境に比べて、厳密な設計作業が困難である。即ち、太陽光発電システムの設置場所において、作業員が登録情報の修正作業の工数が多いという課題があった。
【００１７】
例えば図１０（Ａ）では、３つのストリンググループＳＴ１０１，ＳＴ１０２，ＳＴ１０３と親機＃Ｐ１０１，＃Ｐ１０２，＃Ｐ１０３とにより太陽光発電システムが構成されており、各ストリンググループＳＴ１０１，ＳＴ１０２，ＳＴ１０３は合計６つのストリングを有する。例えばストリンググループＳＴ１０１のストリングＳＴ１０１ｃは、電力線ＰＬに沿って４つのＰＶパネル＃Ｐ１０１ｃ１，＃Ｐ１０１ｃ２，＃Ｐ１０１ｃ３，＃Ｐ１０１ｃ４が設けられた構成であり、このストリングＳＴ１０１ｃには１つの子機＃Ｃ１０１ｃが設けられ、他のストリングにおいても同様の構成である。
【００１８】
また、作業員の登録処理により、ストリンググループＳＴ１０１の各子機は親機＃Ｐ１０１と通信するように予め登録され、ストリンググループＳＴ１０２の各子機は親機＃Ｐ１０２と通信するように予め登録され、ストリンググループＳＴ１０３の各子機は親機＃Ｐ１０３と通信するように予め登録されたとする。
【００１９】
ところが、子機と親機との間の通信は無線であるため、各ストリングの子機の中には、予め登録された親機との通信品質（例えば信号の受信強度）よりも、予め登録された親機に隣接する親機との通信品質の方が良好となる場合がある。例えば、ストリンググループＳＴ１０１の子機＃Ｃ１０１ｆは、親機＃Ｐ１０１との間において通信が不可であり、親機＃Ｐ１０２との間において通信が可能となることがある。また、ストリンググループＳＴ１０２の子機＃Ｃ１０２ｅは、親機＃Ｐ１０２との間の通信品質よりも親機＃Ｐ１０３との間の通信品質が良好となることがある。同様に、ストリンググループＳＴ１０３の子機＃Ｃ１０３ｅは、親機＃Ｐ１０３との間の通信品質よりも親機＃Ｐ１０２との間の通信品質が良好となることがある。
【００２０】
このため、作業員による子機と親機との間の通信対象としての登録情報の書き込み作業の自動化処理を検討する。自動化処理の一例として、各子機に、各親機から送信された信号（例えばビーコン）を受信させ、この信号の受信レベルが最も高い親機に対して無線通信させる。これにより、子機及び親機は、各自の通信対象を登録する処理を自動的に行うことができる。但し、１つの親機の登録台数には上限があるため、親機は、登録台数の最大値を超えた子機を通信対象として登録することができない。この場合、子機は、他の親機に登録しようと試みるが、他の親機からの信号の受信レベルが著しく低いと、通信品質が劣悪であるため、いずれの親機も通信対象として登録することができないか、いずれかの親機を通信対象として登録したとしても登録後の親機との通信品質が劣悪となってしまう。
【００２１】
例えば図１０（Ｂ）では、直列に接続した４つのＰＶパネルと１つの子機とが設けられた合計２０個のストリングと３つの親機＃Ｐ１０１，＃Ｐ１０２，＃Ｐ１０３とにより太陽光発電システムが構成されており、各親機＃Ｐ１０１，＃Ｐ１０２，＃Ｐ１０３は通信対象の子機を最大で７つまで登録可能とする。
【００２２】
図１０（Ｂ）において、子機＃Ｃ１０１ｈ及び子機＃Ｃ１０１ｋの３つの親機＃Ｐ１０１，＃Ｐ１０２，＃Ｐ１０３から受信した信号の受信レベルを示す。子機＃Ｃ１０１ｈ及び子機＃Ｃ１０１ｋは共に、「＃Ｐ１０１」が最も受信レベルが高い親機である。このとき、各親機に登録可能な台数に制限があるため、各親機が特にルールなく任意の子機を登録すれば、各子機は必ずしも最も受信レベルが高い親機に登録できるとは限らない。例えば、各親機＃Ｐ１０１，＃Ｐ１０２，＃Ｐ１０３に対して比較的高い受信レベルが観測される子機＃Ｃ１０１ｈが、親機＃Ｐ１０１に登録されるにも関わらず、親機＃Ｐ１０１以外の親機＃Ｐ１０２，＃Ｐ１０３は比較的低い受信レベルが観測される子機＃Ｃ１０１ｋは親機＃Ｐ１０１に登録できない場合がある。
【００２３】
そこで、以下の本実施形態では、ＰＶパネルの発電による所定物理量の測定結果データの送受信を行う無線子機と無線親機との間の通信品質に応じて、無線子機と無線親機との間における通信相手の登録の優先度を適応的に変更するデータ収集システム及び通信機器登録方法の例について説明する。また、説明を分かり易くするために、以下の本実施形態では、本発明に係るデータ収集システムとして太陽光発電システムを例示して説明する（図１参照）。また、本発明は、データ収集システムにおいて行われる通信機器登録方法として規定しても良い。
【００２４】
（本実施形態のシステム構成）
図１は、本実施形態における太陽光発電システム１０００の一例を示す図である。図１に示す太陽光発電システム１０００は、１つ以上のストリングＳＴＲ１，ＳＴＲ２，ＳＴＲ３〜ＳＴＲｎと、無線通信用の通信子機２１Ａ１，２２Ａ１，２３Ａ１〜２ｎＡ１と、接続箱４１２，４３４〜４（ｎ−１）ｎと、パワーコンディショナ５０と、無線通信用の中継機６１Ａ１〜６ｎＡ１と、無線通信用の通信親機７１Ａ１〜７ｎＡ１と、データロガー８０とモニタ端末９０とを含む構成である。
【００２５】
ストリングＳＴＲ１，ＳＴＲ２，ＳＴＲ３〜ＳＴＲｎは、複数の太陽光パネル（ＰＶパネル）が直列に接続された構成であり、図１では各ストリングにおいて３つのＰＶパネルが直列に接続している。具体的には、ストリングＳＴＲ１では、ＰＶパネル１１Ａ１とＰＶパネル１１Ａ２とＰＶパネル１１Ａ３とが直列接続し、ストリングＳＴＲ２では、ＰＶパネル１２Ａ１とＰＶパネル１２Ａ２とＰＶパネル１２Ａ３とが直列接続し、ストリングＳＴＲ３では、ＰＶパネル１３Ａ１とＰＶパネル１３Ａ２とＰＶパネル１３Ａ３とが直列接続し、ストリングＳＴＲｎでは、ＰＶパネル１ｎＡ１とＰＶパネル１ｎＡ２とＰＶパネル１ｎＡ３とが直列接続している。図１に示すそれぞれのＰＶパネル、通信子機、接続箱、中継機、通信親機の動作は同様であるため、以下、ＰＶパネル１１Ａ１、通信子機２１Ａ１、接続箱４１２、中継機６１Ａ１、通信親機７１Ａ１を例示して説明する。
【００２６】
ＰＶパネル１１Ａ１は、光電効果によって太陽光エネルギーを電気エネルギー（例えば電力）に変換する発電機能を有する太陽電池セルを含み、より具体的には、複数の太陽電池セルが所定の配列に従って配置された太陽電池モジュールである。例えばストリングＳＴＲ１では、ＰＶパネル１１Ａ１とＰＶパネル１１Ａ２とＰＶパネル１１Ａ３とは、電力線上に直列に接続される（図１参照）。また、ストリングＳＴＲ１には、各ＰＶパネル１１Ａ１，１１Ａ２，１１Ａ３の光電効果により得られた所定物理量（例えば発電電力量や発電電流）を測定する測定器の一例としての通信子機２１Ａ１が設けられる。
【００２７】
図１に示す太陽光発電システム１０００では、ストリングＳＴＲ１とストリングＳＴＲ２とは、電力線を介して接続箱４１２において並列に接続されることで、太陽電池アレイ（ＰＶアレイ）を形成する。なお、図１では合計２つのストリングＳＴＲ１，ＳＴＲ２により１つのＰＶアレイが形成されているが、１つのＰＶアレイを形成するためのストリングの数は２つに限定されず、更に、１つのストリングを形成するＰＶパネルの数も３つに限定されない。
【００２８】
測定器の一例としての通信子機２１Ａ１は、ＰＶパネル１１Ａ１〜１１Ａ３の太陽光発電の所定物理量を周期的に測定し、無線通信によって測定結果データを中継機６１Ａ１又は通信親機７１Ａ１に送信する。通信子機２１Ａ１の測定周期は、例えば１０分とし、１日の日照時間を午前１０時から午後３時までとする場合には、通信子機２１Ａ１は、１日につき、合計３００分／１０分＝３０回測定する。なお、ここでいう所定物理量、即ち通信子機２１Ａ１（図１に示す他の通信子機も同様）が測定する所定物理量には、例えばストリングにおける所定物理量も含まれるとする。
【００２９】
また、通信子機２１Ａ１は、通信親機又は中継機が未だ通信相手として登録されていない場合には、通信親機又は中継機から送信された所定の報知信号（例えばビーコン信号）を受信し、報知信号の受信強度（例えば受信レベル）を測定する。また、通信親機又は中継機が所定の登録モード開始状態に遷移した後、通信子機は、通信親機又は中継機から送信された受信レベル取得用報知信号を受信した後、測定した受信レベルのデータを通信親機又は中継機に送信（返信）する。通信親機又は中継機が登録モード開始状態に遷移した後の通信子機２１Ａ１の動作の詳細については、図６を参照して後述する。
【００３０】
ここで、通信子機２１Ａ１の詳細な内部構成について、図２を参照して説明する。図２は、本実施形態の通信子機２１Ａ１の内部構成の一例を詳細に示すブロック図である。なお、上述したように、図１に示す各通信子機２２Ａ１，２３Ａ１，…，２ｎＡ１は、通信子機２１Ａ１と同様の構成を有する。図２に示す通信子機２１Ａ１は、電源部ＳＬ１と、制御部ＳＬ２と、電流検出部ＳＬ３と、電圧検出部ＳＬ４と、有線通信部ＳＬ５と、無線通信部ＳＬ６と、入力端子ＩＮＰ１と、出力端子ＯＵＴ１とを含む構成である。なお、有線通信部ＳＬ５及び無線通信部ＳＬ６は、例えば、通信親機７１Ａ１との通信機能を有するものであり、少なくともいずれか一方が設けられればよい。
【００３１】
通信子機２１Ａ１は、ストリングＳＴＲ１の電力線において、例えばＰＶパネル１１Ａ１の出力端子に接続される。通信子機２１Ａ１は、ＰＶパネル１１Ａ１の出力、即ち、発電電力を、入力端子ＩＮＰ１側から出力端子ＯＵＴ１側にそのまま通過させることにより、ストリングＳＴＲ１の発電電力を監視する。
【００３２】
電源部ＳＬ１は、例えばＰＶパネル１１Ａ１の出力、即ち、発電電力の供給を受けることにより、通信子機ＭＳＬ１内の各部の動作に必要となる電力を供給する。
【００３３】
制御部ＳＬ２は、プロセッサ（例えばＣＰＵ（Central Processing Unit）、ＭＰＵ（Micro Processing Unit）又はＤＳＰ（Digital Signal Processor））と、メモリ（例えばＲＯＭ（Read Only Memory）とを有し、プロセッサにおいてメモリに格納されたプログラムを実行することにより、各種の信号を実行し、更に、所定の信号処理を各部に実行させるための制御信号を出力する。
【００３４】
例えば、制御部ＳＬ２は、電流検出部ＳＬ３により検出されたＰＶパネル１１Ａ１の出力電流と、電圧検出部ＳＬ４により検出されたＰＶパネル１１Ａ１の出力電圧とを乗算することにより、ＰＶパネル１１Ａ１の出力電力（発電電力）を算出する。また、制御部ＳＬ２は、ＰＶパネル１１Ａ１の出力電力、出力電流及び出力電圧の少なくとも１つのデータを、ストリングＳＴＲ１の太陽光発電における測定結果データとして、有線通信部ＳＬ５又は無線通信部ＳＬ６に出力する。
【００３５】
なお、ＰＶパネル１１Ａ１の出力電流は、ストリングＳＴＲ１の出力電流に相当する。ＰＶパネル１１Ａ１の出力電力及び出力電圧は、その電力、電圧に対しそれぞれストリングＳＴＲ１に直列接続されたＰＶパネルの数を乗算したものが、ストリングＳＴＲ１の出力電力及び出力電圧にほぼ相当する。よって、検出したＰＶパネル１１Ａ１の出力電流を、測定結果データとして、有線通信部ＳＬ５又は無線通信部ＳＬ６を介して送信する方が好ましい。これにより、太陽光発電システム１００の管理者は、ストリングＳＴＲ１の状態をより正確に把握することができる。
【００３６】
また、制御部ＳＬ２は、ストリングＳＴＲ１における異常の有無を判断してもよい。具体的には、制御部ＳＬ２は、上記測定結果データと所定閾値との比較により、ストリングＳＴＲ１における異常を判定する。異常判定に使用する測定結果データは、ＰＶパネル１１Ａ１の出力電力又は出力電流又は出力電圧でもよい。但し、上述したようにＰＶパネル１１Ａ１の出力電流はストリングＳＴＲ１の電流に相当するため、出力電流を用いて異常判定を行うことで、ストリングＳＴＲ１における異常判定の誤検知を抑制することができる。
【００３７】
なお、後述するように、図１に示す各ストリングＳＴＲ１，ＳＴＲ２，ＳＴＲ３，…，ＳＴＲｎの異常の有無は、通信子機２１Ａ１，２２Ａ１，２３Ａ１，…，２ｎＡ１により判断されてもよいし、中継機６１Ａ１〜６ｎＡ１，通信親機７１Ａ１〜７ｎＡ１、データロガー８０、及びモニタ端末９０のうち、いずれか１つ以上の装置により判断されてもよい。
【００３８】
電流検出部ＳＬ３は、例えば公知の電流検出回路を用いて構成され、通信子機ＭＳＬ１に接続されたＰＶパネル１１Ａ１からの発電電流（出力電流）を検出し、検出結果のデータを制御部ＳＬ２に出力する。
【００３９】
電圧検出部ＳＬ４は、例えば公知の電圧検出回路を用いて構成され、通信子機ＭＳＬ１に接続されたＰＶパネル１１Ａ１の出力電圧を検出し、検出結果のデータを制御部ＳＬ２に出力する。
【００４０】
有線通信部ＳＬ５は、例えば電力線を用いた電力線通信（ＰＬＣ：Power Line Communication）により、他の通信子機２２Ａ１，２３Ａ１，…，２ｎＡ１、通信親機７１Ａ１〜７ｎＡ１又はパワーコンディショナ５０との間で有線通信する。例えば、有線通信部ＳＬ５は、制御部ＳＬ２から出力された太陽光発電における測定結果データ、ストリングＳＴＲ１の異常の有無の判断結果データを通信親機７１Ａ１に送信してもよい。なお、有線通信の種別は、電力線通信に限定されない。
【００４１】
無線通信部ＳＬ６は、例えば所定の通信規格（例えば、ＤＥＣＴ（Digital Enhanced Cordless Telecommunication）、無線ＬＡＮ（Local Area Network）、又はＺｉｇｂｅｅ（登録商標）を含む）に対応した無線通信により、通信親機７１Ａ１〜７ｎＡ１又はパワーコンディショナ５０との間で無線通信する。例えば、無線通信部ＳＬ６は、制御部ＳＬ２から出力された太陽光発電における測定結果データ、ストリングＳＴＲ１の異常の有無の判断結果データを通信親機７１Ａ１に送信してもよい。但し、無線通信部ＳＬ６は、通信子機２１Ａ１がストリングＳＴＲ１の異常の有無を判断していない場合には、異常の有無の判断結果データの通信親機７１Ａ１への送信を省略してもよい。
【００４２】
入力端子ＩＮＰ１は、ＰＶパネル１１Ａ１側に接続され、ＰＶパネル１１Ａ１からの出力が入力される。また、出力端子ＯＵＴ１は、接続箱４０側に接続され、通信子機ＭＳＬ１に入力されたＰＶパネル１１Ａ１からの出力がそのまま出力される。
【００４３】
なお、本実施形態では、通信子機の一例として、ストリングの電流を測定する構成（通称：ストリングモニタ）を用いて説明するが、通信子機は、各ＰＶパネルに対してＭＰＰＴ（Maximum Power Point Tracking）制御可能なマイクロインバータ又はパワーオプティマイザでもよい。
【００４４】
接続箱４１２は、ストリングＳＴＲ１を接続する電力線とストリングＳＴＲ２を接続する電力線とを集線してパワーコンディショナ５０に接続する。接続箱４１２は、例えば、ストリングＳＴＲ１を接続する電力線とストリングＳＴＲ２を接続する電力線との接続端子と、点検や保守の際に用いるスイッチと、避雷素子と、電気の逆流の防止用の逆流防止ダイオードとを含む。また、接続箱４１２は、パワーコンディショナ５０と一体化されても良いし、省略されても良い。
【００４５】
パワーコンディショナ５０は、各接続箱４１２，４３４〜４（ｎ−１）ｎを介して各ストリングから出力された直流電力を変換処理（例えばＤＣＤＣ変換処理）し、更に、ＤＣＤＣ変換後の直流電力を交流電力に変換処理（例えばＤＣＡＣ変換処理）する。パワーコンディショナ５０は、例えば分電盤（不図示）に接続される。また、パワーコンディショナ５０は、上述したＤＣＤＣ変換処理において、パワーコンディショナ５０に供給された電力が最大となるようにＭＰＰＴ制御を行っても良い。パワーコンディショナ５０のＭＰＰＴ制御とは、太陽光発電システム１０００の各ＰＶパネルの総発電量を最大化するための制御である。パワーコンディショナ５０におけるＭＰＰＴ制御は、公知技術により実現可能であり、例えば山登り法が採用される。
【００４６】
中継機６１Ａ１は、通信子機２１Ａ１と通信親機７１Ａ１との間の無線通信を中継する。即ち、中継機６１Ａ１は、通信子機２１Ａ１から送信されたストリングＳＴＲ１の所定物理量（例えば発電電力量）の測定結果データを受信し、更に、ストリングＳＴＲ１の所定物理量の測定結果データを通信親機７１Ａ１に送信（転送）する。なお、太陽光発電システム１０００の設置規模が大きい場合や、通信子機と通信親機との間の通信環境が劣悪である場合には、中継機６１Ａ１〜６ｎＡ１は設置されることが好ましいが、太陽光発電システム１０００の設置規模が大きくない場合又は通信子機と通信親機との間の通信環境が良好である場合には、中継機６１Ａ１〜６ｎＡ１は省略されても良い。なお、本実施形態の中継機６１Ａ１は単なるデータの中継機能を有すれば良いので、中継機６１Ａ１の詳細な構成例についての説明は省略する。
【００４７】
通信親機７１Ａ１は、１つの中継機６１Ａ１との間で無線通信しても良いし、１つの通信子機２１Ａ１と直接に無線通信しても良い。また、通信親機７１Ａ１は、複数の中継機や通信子機との間で無線通信しても良い。通信親機７１Ａ１は、例えば通信子機２１Ａ１又は中継機６１Ａ１から送信されたストリングＳＴＲ１の所定物理量の測定結果データを受信してデータロガー８０に出力する。通信親機７１Ａ１の設置場所は、特に限定されず、例えば通信子機２１Ａ１との通信が可能な場所に設置されても良いし、パワーコンディショナ５０の傍に設置されても良い。図１では、通信親機７１Ａ１は、単独の装置として設置された場合を例示している。
【００４８】
また、通信親機７１Ａ１は、通信子機又は中継機が未だ通信相手として登録されていない場合には、所定の報知信号（例えばビーコン信号）を通信子機又は中継機に送信し、更に、データロガー８０から送信された登録モード開始要求を受信すると、所定の登録モード開始状態に遷移する。登録モード開始状態に遷移した後の通信親機７１Ａ１の動作の詳細については、図６を参照して後述する。
【００４９】
ここで、通信親機７１Ａ１の詳細な内部構成について、図３を参照して説明する。図３は、本実施形態の通信親機７１Ａ１の内部構成の一例を詳細に示すブロック図である。図３に示す通信親機７１Ａ１は、制御部Ａ７１と、電源部Ａ７６と、通信部Ａ７７とを含む構成である。制御部Ａ７１は、ＣＰＵ（Central Processing Unit）Ａ７２と、ＲＡＭ（Random Access Memory）Ａ７３と、フラッシュメモリ（Ｆｌａｓｈ）Ａ７４と、Ｉ／Ｆ（Interface）部Ａ７５とを有する。
【００５０】
制御部Ａ７１は、例えばＲＡＭＡ７３に格納されたプログラムをＣＰＵＡ７２において実行することで各種処理を行う。制御部Ａ７１による処理結果は、例えばＩ／Ｆ部Ａ７５を介して通信部Ａ７７から他の装置（例えばデータロガー８０）へ送信又は出力される。Ｉ／Ｆ部Ａ７５は、制御部Ａ７１と通信部Ａ７７との間のインタフェースであり、例えば、ＵＡＲＴ（Universal Asynchronous Receiver Transmitter）又はＩ２Ｃを含む。
【００５１】
電源部Ａ７６は、外部電源（例えば交流電源又は直流電源）からの電力供給を受けて、通信親機７１Ａ１内の各部へ電力を供給する。
【００５２】
通信部Ａ７７は、通信子機２１Ａ１又は中継機６１Ａ１との間において、無線を用いて通信する。この通信の方式は、例えば電力線を介した電力線通信（ＰＬＣ）、ＤＥＣＴ、無線ＬＡＮ通信又はＺｉｇｂｅｅ（登録商標）を含む。
【００５３】
データロガー８０は、各通信親機７１Ａ１〜７ｎＡ１から送信又は出力されたデータ、即ち、各ストリングＳＴＲ１〜ＳＴＲｎの所定物理量の測定結果データを受信又は取得する。図１に示す太陽光発電システム１０００の全ての通信親機７１Ａ１〜７ｎＡ１から送信又は出力された測定結果データの全体を「集約発電データ」とも称する。データロガー８０は、ネットワークＮＷを介して接続されたモニタ端末９０に集約発電データを送信する。又は、データロガー８０は、集約発電データをモニタ端末９０に送信する代わりに、各通信親機７１Ａ１〜７ｎＡ１から個別に送信されたデータを受信する度に、当該データをモニタ端末９０に送信しても良い。
【００５４】
また、通信機器割当装置の一例としてのデータロガー８０は、図１に示す太陽光発電システム１０００における通信子機、中継機、通信親機の通信相手が未だ登録されていない場合には、システム管理者の入力操作により、登録モードの状態に遷移し、各通信親機に登録モード開始要求を送信する。データロガー８０が登録モードの状態に遷移した後のデータロガー８０の動作の詳細については、図６を参照して後述する。
【００５５】
ここで、データロガー８０の詳細な内部構成について、図４を参照して説明する。図４は、本実施形態のデータロガー８０の内部構成を詳細に示すブロック図である。図４に示すデータロガー８０は、操作部８１と、Ｉ／Ｆ部８２と、登録モード管理部８３と、受信レベルＤＢ生成部８４と、登録機器決定部８５と、太陽光発電システムＤＢ８６と、通信部８７と、表示部８８とを含む構成である。データロガー８０は、例えばＰＣ（Personal Computer）を用いて構成される。
【００５６】
入力部の一例としての操作部８１は、システム管理者の入力操作の内容を表示部８８に表示させ、又は太陽光発電システムＤＢ８６に記憶させるためのユーザインターフェース（ＵＩ：User Interface）であり、例えばマウス、キーボード等のポインティングデバイスである。また、操作部８１は、例えば表示部８８の表示画面に対応して配置され、システム管理者の指又はスタイラスペンによって入力操作が可能なタッチパネル又はタッチパッドを用いて構成されても良い。
【００５７】
また、操作部８１は、登録モードを開始させるための入力操作がシステム管理者により行われた場合に、登録モードを開始させるための通知を登録モード管理部８３に出力する。なお、登録モードとは、図１に示す太陽光発電システム１０００において、通信子機と通信親機とにおける通信相手を登録させるための状態を示す。また、登録処理の説明を簡単にするために、中継機を省略し、通信子機と通信親機とにおける通信相手の登録に関して説明する。但し、中継機が省略されない場合でも、通信子機と通信親機との処理を通信子機と中継機との処理、更に、中継機と通信親機との処理にそれぞれ読み替えて組み合わせれば良い。
【００５８】
Ｉ／Ｆ部８２は、１つ以上の通信親機７１Ａ１〜７ｎＡ１から送信又は出力されたデータを受信又は取得する。Ｉ／Ｆ部８２は、１つ以上の通信親機７１Ａ１〜７ｎＡ１から送信又は出力されたデータを受信レベルＤＢ生成部８４、登録機器決定部８５又は通信部８７に出力する。
【００５９】
登録モード管理部８３は、データロガー８０が１つ以上の通信子機２１Ａ１〜２ｎＡ１と１つ以上の通信親機７１Ａ１〜７ｎＡ１との各通信相手の登録処理を行うための登録モードの状態であるか否かを管理している。登録モード管理部８３は、データロガー８０が登録モードの状態である場合には、その旨を受信レベルＤＢ生成部８４に出力する。
【００６０】
受信レベルＤＢ生成部８４は、Ｉ／Ｆ部８２から出力されたデータ（例えば通信子機から送信された受信レベルのデータ）を用いて、１つ以上の通信親機が送信した報知信号（例えばビーコン信号）を各通信子機が受信した際の受信レベルを通信子機毎に纏めた受信レベルＤＢ（Database）を生成する。受信レベルＤＢ生成部８４は、１つ以上の通信親機が送信した報知信号（例えばビーコン信号）を各通信子機が受信した際の受信レベルを通信子機毎に纏めた受信レベルＤＢのデータを登録機器決定部８５に出力し、更に、太陽光発電システムＤＢ８６にも記憶する。
【００６１】
登録機器決定部８５は、１つ以上の通信親機が送信した報知信号を各通信子機が受信した際の受信レベルを通信子機毎に纏めた受信レベルＤＢのデータを用いて、太陽光発電システム１０００における１つ以上の通信子機２１Ａ１〜２ｎＡ１と１つ以上の通信親機７１Ａ１〜７ｎＡ１との登録するべき通信相手を決定する。登録機器決定部８５における通信相手の決定手順の詳細については、図６を参照して後述する。
【００６２】
太陽光発電システムＤＢ８６は、例えばハードディスク装置又は半導体メモリ（例えばフラッシュメモリ）を用いて構成され、図１に示す太陽光発電システム１０００において測定された太陽光発電の測定結果データ、操作部８１により入力された各種データ、その他のデータを記憶する。
【００６３】
通信部８７は、Ｉ／Ｆ部８２から出力されたデータ（例えば集約発電データ）又は太陽光発電システムＤＢ８６から読み出したデータを、ネットワークＮＷを介してモニタ端末９０に送信する。また、通信部８７は、モニタ端末９０から送信されたデータを、ネットワークＮＷを介して受信しても良い。
【００６４】
表示部８８は、例えばＬＣＤ（Liquid Crystal Display）又は有機ＥＬ（Electroluminescence）を用いて構成され、登録機器決定部８５により決定された通信子機及び通信親機の通信相手を太陽光発電システムＤＢ８６に登録できた旨又は登録できなかった旨の情報を表示する。
【００６５】
ネットワークＮＷは、有線ネットワーク（例えばイントラネット、インターネット）でも良いし、無線ネットワーク（例えば無線ＬＡＮ（Local Area Network）、ＩｒＤＡ、Ｂｌｕｅｔｏｏｔｈ（登録商標）、ＷｉＧｉｇ）でも良い。
【００６６】
モニタ端末９０は、データロガー８０から送信された集約発電データを受信し、太陽光発電システム１０００の各ストリングＳＴＲ１〜ＳＴＲｎにおけるＰＶパネルの発電量を監視する。
【００６７】
（データロガーにおける通信子機及び通信親機の通信相手の決定処理の概要）
次に、通信機器割当装置の一例としてのデータロガー８０における１つ以上の通信子機２１Ａ１〜２ｎＡ１及び１つ以上の通信親機７１Ａ１〜７ｎＡ１の通信相手の決定処理の概要について、図５（Ａ）及び図５（Ｂ）を参照して説明する。図５（Ａ）は、受信レベルが安定通信可能レベルＳＴＢを超える通信親機が１つだけある場合の登録の優先度の説明図である。図５（Ｂ）は、受信レベルが安定通信可能レベルＳＴＢを超える通信親機が複数ある場合の登録の優先度の説明図である。データロガー８０は、受信レベルＤＢ生成部８４により生成された通信子機毎に纏めた受信レベルＤＢを参照して、通信子機と通信親機とにおける登録するべき各通信相手を決定する。また、通信機器割当装置の一例としてデータロガー８０を用いて説明しているが、モニタ端末９０を用いて説明しても良い。
【００６８】
図５（Ａ）では、例えば通信子機２１Ａ１が３つの通信親機７１Ａ１，７２Ａ１，７３Ａ１から送信された報知信号を受信した際の受信レベルが示されている。図５（Ａ）に示す安定通信可能レベルＳＴＢは、通信子機と通信親機とが安定的に通信を継続可能な受信レベルの下限値（所定値）である。
【００６９】
図５（Ａ）に示すように、３つの通信親機７１Ａ１，７２Ａ１，７３Ａ１から送信された報知信号の通信子機２１Ａ１における受信レベルが安定通信可能レベルＳＴＢを超える通信親機が１つ、即ち、通信親機７１Ａ１のみである場合には、通信子機２１Ａ１は通信親機７１Ａ１としか安定して通信を継続することができないと考えられる。従って、データロガー８０は、通信子機２１Ａ１の登録するべき通信相手を通信親機７１Ａ１と決定する。
【００７０】
図５（Ｂ）では、例えば合計２０個のストリングと各ストリングに対応する２０個の通信子機と３個の通信親機７１Ａ１，７２Ａ１，７３Ａ１とが設けられた太陽光発電システムにおいて、通信子機２３Ａ１，２１０Ａ１が３つの通信親機７１Ａ１，７２Ａ１，７３Ａ１から送信された報知信号を受信した際の受信レベルが示されている。通信子機２３Ａ１はストリングＳＴＲ３に対応して設けられた通信子機であり、通信子機２１０Ａ１はストリングＳＴＲ１０に対応して設けられた通信子機である。
【００７１】
図５（Ｂ）に示すように、３つの通信親機７１Ａ１，７２Ａ１，７３Ａ１から送信された報知信号の通信子機２３Ａ１，２１０Ａ１における受信レベルが安定通信可能レベルＳＴＢを超える通信親機が複数、即ち、通信親機７１Ａ１，７２Ａ１，７３Ａ１である場合には、通信子機２３Ａ１，２１０Ａ１はいずれの通信親機７１Ａ１，７２Ａ１，７３Ａ１とも安定して通信を継続することができると考えられる。この場合、データロガー８０は、通信子機２３Ａ１，２１０Ａ１における通信親機７１Ａ１，７２Ａ１，７３Ａ１間の受信レベルの差分を基に、通信子機２３Ａ１，２１０Ａ１の通信相手を決定する。
【００７２】
より具体的には、データロガー８０は、通信子機２３Ａ１が受信した報知信号の最大受信レベルと他の通信親機から受信した報知信号の平均受信レベルとの差分Ｘを算出する。例えば差分Ｘは、「（通信親機７１Ａ１が送信した報知信号の通信子機２３Ａ１における受信レベル）−（１／２）×｛（通信親機７２Ａ１が送信した報知信号の通信子機２３Ａ１における受信レベル）＋（通信親機７３Ａ１が送信した報知信号の通信子機２３Ａ１における受信レベル）｝」となる。
【００７３】
同様に、データロガー８０は、通信子機２１０Ａ１が受信した報知信号の最大受信レベルと他の通信親機から受信した報知信号の平均受信レベルとの差分Ｙを算出する。例えば差分Ｙは、「（通信親機７１Ａ１が送信した報知信号の通信子機２１０Ａ１における受信レベル）−（１／２）×｛（通信親機７２Ａ１が送信した報知信号の通信子機２１０Ａ１における受信レベル）＋（通信親機７３Ａ１が送信した報知信号の通信子機２１０Ａ１における受信レベル）｝」となる。
【００７４】
データロガー８０は、差分Ｘと差分Ｙとを比較し、差分Ｘ＞差分Ｙであると判定した場合には、通信親機７１Ａ１の通信相手として通信子機２３Ａ１を登録する優先度を上げる（図５（Ｂ）参照）。一方、データロガー８０は、差分Ｘ＜差分Ｙであると判定した場合には、通信親機７１Ａ１の通信相手として通信子機２１０Ａ１を登録する優先度を上げることで、通信親機７１Ａ１の通信相手として登録するべき通信子機を通信子機２１０Ａ１と決定する（不図示）。
【００７５】
以上のようにデータロガー８０は、各受信レベルを基に各通信親機の登録すべき通信子機の優先度を決定する。そして、データロガー８０は、優先度が低い通信子機が最も受信レベルが高い通信親機には登録されず、他の通信親機に登録されるよう、決定する場合もある。
【００７６】
例えば、通信親機７１Ａ１は最大７台の通信子機を登録可能であり、８台の通信子機にとって最も受信レベルの高い通信親機である場合、データロガーは、上述のように通信親機７１Ａに対する８台の通信子機の優先度を決定し、最も優先度の低い通信子機を通信親機７１Ａ１以外の通信親機に登録するよう決定する。この最も優先度の低い通信子機が通信子機２３Ａ１である場合、通信子機２３Ａ１は例えば通信親機７２Ａ１に登録される。従って、データロガー８０は、上記８台の通信子機の少なくとも一部は、所望の通信親機である通信親機７１Ａ１に登録するよう決定する。換言すると、データロガー８０は、上記８台の通信子機の中で優先度の高い通信子機を通信親機７１Ａ１に割り当てる通信子機として選択し、この選択からもれた通信子機を通信親機７１Ａ１以外の通信親機に割り当てるよう決定する。
【００７７】
一方、通信親機７１Ａ１は最大７台の通信子機を登録可能であり、６台の通信子機にとって最も受信レベルの高い通信親機である場合、データロガー８０は、６台全ての通信子機を通信親機７１Ａ１に登録するよう決定する。
【００７８】
以上より、データロガー８０は、各受信レベルを基に各通信親機の登録すべき通信子機の優先度を決定し、各通信親機の登録可能台数と各通信親機における各通信子機の優先度に応じて、各通信親機に登録されるべき（割り当てられる）通信子機を選択する。言い換えると、各通信子機は、各通信親機の登録可能台数と、各通信親機との受信レベルと、に応じて登録されるべき（割り当てられる）通信親機が選択される。なお、受信レベルの差分を基に上記優先度を決定する方法は一例であり、受信レベルに関する他の観点から上記優先度を決定してもよい。
【００７９】
（１つの通信子機と２つの通信親機とデータロガーとの間の通信相手の登録手順）
次に、１つの通信子機２１Ａ１と２つの通信親機７１Ａ１，７２Ａ１とデータロガー８０との間の通信相手の登録手順について、図６を参照して説明する。図６は、本実施形態の１つの通信子機２１Ａ１と２つの通信親機７１Ａ１，７２Ａ１とデータロガー８０とにおける通信相手の登録手順を説明するシーケンス図である。
【００８０】
図６の説明の前提として、２つの通信親機７１Ａ１，７２Ａ１とデータロガー８０との電源はオンしている状態あり、データロガー８０は登録モードの状態に遷移していない状態とする。更に、図６では、通信親機７１Ａ１から送信された報知信号の通信子機２１Ａ１における受信時の受信レベルは、通信親機７２Ａ１から送信された報知信号の通信子機２１Ａ１における受信時の受信レベルより高いが、通信子機２１Ａ１は、通信親機７２Ａ１を通信相手として登録することについて説明する。
【００８１】
図６において、通信親機７１Ａ１，７２Ａ１は、報知信号（例えばビーコン）を送信する（Ｓ１１，Ｓ１２）。通信子機２１Ａ１は、報知信号を受信した際の受信レベルを測定する（Ｓ１３）。データロガー８０は、通信子機及び通信親機の通信相手を登録する登録モードの状態に遷移させるための入力操作がシステム管理者により行われた場合に登録モードの状態に遷移し（Ｓ１４）、通信親機７１Ａ１，７２Ａ１に登録モード開始要求を送信する（Ｓ１５）。通信親機７１Ａ１，７２Ａ１は、データロガー８０から送信された登録モード開始要求に従って、各通信親機自身の通信相手を登録するための登録モードの状態に遷移する（Ｓ１６，Ｓ１７）。
【００８２】
通信親機７１Ａ１は、登録モードの状態に遷移した後、通信親機７１Ａ１から送信された報知信号の受信時における受信レベルおよび通信親機７１Ａ２から送信された報知信号の受信時における受信レベルのデータ取得を要求するために、受信レベル取得用報知信号を通信子機２１Ａ１に送信する（Ｓ１８）。同様に、通信親機７２Ａ１は、登録モードの状態に遷移した後、通信親機７１Ａ１から送信された報知信号の受信時における受信レベルおよび通信親機７２Ａ１から送信された報知信号の受信時における受信レベルのデータ取得を要求するために、受信レベル取得用報知信号を通信子機２１Ａ１に送信する（Ｓ１９）。
【００８３】
通信子機２１Ａ１は、ステップＳ１３において測定された受信レベルが最も高い通信親機（例えば通信親機７１Ａ１）に対し、受信レベルのデータを送信するために、一時的な通信路を要求するためのチャネル取得要求を通信親機７１Ａ１に送信する（Ｓ２０）。通信親機７１Ａ１は、ステップＳ２０において送信された通信子機２１Ａ１からのチャネル取得要求に従って一時的な通信路を割り当て、更に、一時的な通信路を割り当てた旨のチャネル割り当て通知を通信子機２１Ａ１に送信する（Ｓ２１）。
【００８４】
通信子機２１Ａ１は、通信親機７１Ａ１から送信されたチャネル割り当て通知に従って、通信親機７１Ａ１から送信された報知信号の受信時における受信レベルおよび通信親機７１Ａ２から送信された報知信号の受信時における受信レベルのデータを含む受信レベル通知を通信親機７１Ａ１に送信する（Ｓ２２）。通信親機７１Ａ１は、通信子機２１Ａ１から送信された受信レベルのデータを含む受信レベル通知をデータロガー８０に送信し（Ｓ２３）、更に、ステップＳ２２において通信子機２１Ａ１から送信された受信レベルのデータを受信した旨の受信レベル受領通知（例えばＡｃｋ（Acknowledgement）の通信応答）を通信子機２１Ａ１に送信する（Ｓ２４）。通信子機２１Ａ１は、ステップＳ２４において通信親機７１Ａ１から送信された受信レベル受領通知に従って、受信レベルのデータの通信親機への通知を停止する（Ｓ２５）。
【００８５】
データロガー８０は、ステップＳ２３において通信親機７１Ａ１から送信された受信レベル通知やその他の通信親機（不図示）から送信された受信レベル通知を基に、１つ以上の通信親機が送信した報知信号を各通信子機が受信した際の受信レベルのデータを通信子機毎に纏めた受信レベルＤＢを生成する（Ｓ２６）。更に、データロガー８０は、図５（Ａ）又は図５（Ｂ）を参照して説明した通信相手の決定方法に従って、全ての通信子機毎に、通信相手として登録するべき最適な通信親機を決定する。すなわち、データロガー８０は、各通信親機に対して割り当てる通信子機を決定する（Ｓ２７）。
【００８６】
データロガー８０は、ステップＳ２７において決定された割り当て結果（割り当て情報）を各通信親機（通信親機７１Ａ１及び７２Ａ１）に通知する（Ｓ２８）。ここでの割り当て結果とは、例えば各通信親機が登録するべき通信子機の識別番号データ（例えば通信子機の識別番号）の一覧である。よって、ステップＳ２８において、データロガー８０は、通信親機７１Ａ１が登録するべき通信子機の識別番号データ（通信親機７１Ａ１の割り当て結果）の一覧を含む割り当て結果通知を通信親機７１Ａ１に送信すると共に、通信親機７２Ａ１が登録するべき通信子機の識別番号データ（通信親機７２Ａ１の割り当て結果）の一覧を含む割り当て結果通知を通信親機７２Ａ１に送信する。
【００８７】
なお、ステップＳ２８において通信親機７１Ａ１が受信した割り当て結果通知には、通信親機７１Ａ１の通信相手として登録するべき通信子機の識別番号データの中に通信子機２１Ａ１の識別番号データは含まれず、ステップＳ２８において通信親機７２Ａ１が受信した割り当て結果通知には、通信親機７１Ａ２の通信相手として登録するべき通信子機の識別番号データの中に通信子機２１Ａ１の識別番号データが含まれている。
【００８８】
通信親機７１Ａ１，７２Ａ１は、ステップＳ２８においてデータロガー８０から送信された割り当て結果通知に従って、通信相手の登録処理を行うために、登録用報知信号を通信子機２１Ａ１に送信する（Ｓ２９，Ｓ３０）。
【００８９】
通信子機２１Ａ１は、ステップＳ１３において測定された受信レベルが最も高い通信親機（例えば通信親機７１Ａ１）に対し、通信相手の登録処理を行うために、一時的な通信路を要求するためのチャネル取得要求を送信する（Ｓ３１）。通信親機７１Ａ１は、ステップＳ２８において送信された割り当て結果通知を参照し、通信親機７１Ａ１の通信相手として登録するべき通信子機の識別番号データの中に通信子機２１Ａ１の識別番号データが含まれていないので、通信子機２１Ａ１からのチャネル取得要求を拒否すると判定する（Ｓ３２）。更に、通信親機７１Ａ１は、通信子機２１Ａ１からのチャネル取得要求を拒否する旨の情報を含むチャネル割り当て拒否通知を通信子機２１Ａ１に送信する（Ｓ３３）。
【００９０】
通信子機２１Ａ１は、ステップＳ１３において測定した受信レベルの中で、第２番目に受信レベルが高い通信親機７２Ａ１に対し、通信相手の登録処理を行うために、一時的な通信路を要求するためのチャネル取得要求を送信することを決定する（Ｓ３４）。通信子機２１Ａ１は、ステップＳ３４において決定された通信親機７２Ａ１に対し、通信相手の登録処理を行うために、一時的な通信路を要求するためのチャネル取得要求を送信する（Ｓ３５）。
【００９１】
通信親機７２Ａ１は、ステップＳ３５において通信子機２１Ａ１から送信されたチャネル取得要求に従って、通信子機２１Ａ１との間に一時的な通信路を割り当てることが可能と判定し（Ｓ３６）、その旨の情報を含むチャネル割り当て通知を通信子機２１Ａ１に送信する（Ｓ３７）。ステップＳ３７の後、通信子機２１Ａ１は通信子機２１Ａの通信相手として通信親機７２Ａ１を登録し（Ｓ３８）、通信親機７２Ａ１は通信親機７２Ａの通信相手として通信子機２１Ａ１を登録する（Ｓ３８）。通信子機２１Ａ１は、ステップＳ３８の登録処理が完了した旨の情報を含む登録完了通知を通信親機７２Ａ１に送信する（Ｓ３９）。なお、通信親機７２Ａ１は、ステップＳ３９において通信子機２１Ａ１から送信された登録完了通知を受信した場合に、通信子機２１Ａ１を通信相手とする登録処理を行っても良い。
【００９２】
これにより、通信親機７２Ａ１は、登録モードの状態を終了し（Ｓ４０）、登録モードの状態を終了した旨の情報を含む登録完了通知をデータロガー８０に送信する（Ｓ４１）。データロガー８０は、登録モードの状態を終了する（Ｓ４２）。これにより、図６に示すシーケンスは終了する。
【００９３】
なお、ステップＳ２８において、データロガー８０は各親機に全ての親機の割り当て結果を通知してもよい。例えば、データロガー８０は、通信親機７１Ａ１に対して、通信親機７１Ａ１の割り当て結果（自身の割り当て結果）だけでなく、通信親機７２Ａ１の割り当て結果（他の通信親機の割り当て親機）を通知する。これにより、ステップＳ３１において、チャネル取得要求が通知された通信親機７１Ａ１は、通信子機２１Ａ１が通信親機７２Ａ１に割り当てられたことを把握しているため、ステップＳ３３において、チャネル割り当て拒否と共に通信子機２１Ａ１が割り当てられた通信親機（通信子機２１Ａ１が登録するべき通信親機）の情報を通知可能である。このように通信子機２１Ａ１は自身が割り当てられた通信親機を通信親機７１Ａ１より通知されることで、次のチャネル取得要求（例えば、ステップＳ３５）で確実に正しい通信親機（通信親機７２Ａ１）にチャネル取得要求を送信することができる。
【００９４】
なお、ステップＳ３２において、通信親機７１Ａ１は、通信子機２１Ａ１に対して一時的にチャネル（通信路）を割り当てても良い。これにより、通信子機２１Ａはこの通信路を用いて登録要求を通信親機７１Ａ１に通知可能である。但し、通信子機２１Ａは、通信親機７１Ａ１の通信相手として登録するべき通信子機の識別番号データの中に含まれていないため、通信親機７１Ａ１は通信子機２１Ａに対して、登録要求を拒否する旨を通信子機２１Ａに通知する。なお、通信親機７１Ａ１は登録要求の拒否と共に、上述のように、通信子機２１Ａ１が割り当てられた通信親機（通信親機７２Ａ１）の情報を通知してもよい。
【００９５】
図７は、本実施形態のデータロガー８０における通信子機及び通信親機間の通信相手の登録に関するシミュレーション結果を示すグラフである。図７に対応するシミュレーション条件は、例えば通信子機が３００個、通信親機が３個であり、１つの通信親機は最大１００個の通信子機を通信相手として登録可能とする。図７の凡例Ａは、従来技術による通信相手の登録方法、即ち、通信子機が通信親機からの報知信号の受信時の受信レベルが高い順に登録を試みるという方法に対応したシミュレーション結果である。図７の凡例Ｂは、本実施形態による通信相手の登録方法に対応したシミュレーション結果である。
【００９６】
図７に示すように、従来技術における通信相手の登録方法に比べて、本実施形態における通信相手の登録方法によれば、通信親機からの報知信号の通信子機の受信時の受信レベルが高く、更に、通信親機からの報知信号の通信子機の受信時の受信レベルが安定通信可能レベルＳＴＢ未満となる割合が少ないことが分かる。
【００９７】
以上により、本実施形態の太陽光発電システム１０００では、ストリングＳＴＲ１〜ＳＴＲｎ毎に設けられた通信子機２１Ａ１〜２ｎＡ１は、ストリングにおける太陽光発電の所定物理量を測定し、通信相手として登録された通信親機に所定物理量の測定結果データを送信する。通信親機７１Ａ１〜７ｎＡ１は、通信相手として登録された通信子機２１Ａ１〜２ｎＡ１から送信された所定物理量の測定結果データを受信する。データロガー８０は、１つ以上の通信子機２１Ａ１〜２ｎＡ１と１つ以上の通信親機７１Ａ１〜７ｎＡ１との間の報知信号の受信レベルを基に、全ての通信子機及び通信親機の通信相手を決定して登録する。
【００９８】
これにより、データロガー８０は、太陽光発電システム１０００におけるＰＶパネルの太陽光発電による所定物理量の測定結果データの送受信を行う通信子機と通信親機との間の通信品質（例えば受信レベル）に応じて、通信子機及び通信親機における通信相手の登録の優先度を適応的に変更することができる。また、データロガー８０は、全ての通信子機に対し、通信相手として登録するべき通信親機を決定することができるので、通信子機と通信親機との間の通信品質を安定化させることができる。
【００９９】
また、データロガー８０は、１つ以上の通信親機から送信された報知信号の通信子機における受信強度が所定の安定通信可能レベルＳＴＢを超える通信親機が１つである場合に、通信子機の通信相手として、通信子機における受信強度が安定通信可能レベルＳＴＢを超えた通信親機を登録する。これにより、データロガー８０は、特定の通信子機において安定した通信の継続が可能な通信親機が１つしかない場合には、当該特定の通信子機の通信相手として、当該通信親機を優先的に登録することができる。
【０１００】
また、データロガー８０は、１つ以上の通信親機から送信された報知信号の通信子機における受信強度が所定の安定通信可能レベルＳＴＢを超える通信親機が複数である場合に、通信子機における複数の通信親機間の受信強度の差分を基に、通信子機の通信相手である通信親機を決定する。これにより、データロガー８０は、特定の通信子機において安定した通信の継続が可能な通信親機が複数ある場合には、例えば最大受信強度が得られた通信親機を通信相手として登録ができなかったとしても、次に受信強度が高い通信親機を通信相手として登録することができるので、太陽光発電システムにおける全ての通信子機に対し、通信親機を通信相手として登録させることができる。
【０１０１】
また、データロガー８０は、通信子機及び通信親機の通信相手を登録した旨、又は通信子機及び通信親機の通信相手を登録しなかった旨を表示部に表示させる。これにより、データロガー８０は、通信子機及び通信親機の通信相手の登録の成功の可否を視覚的に明示することができる。
【０１０２】
（本実施形態の変形例）
ところで、図１に示す太陽光発電システム１０００が１つだけ設けられている場合には、太陽光発電システム１０００の全ての通信子機及び通信親機の通信相手の登録処理が終了した後に、通信子機と通信親機との間で太陽光発電の測定結果データが送受信される際には、通信の干渉は生じにくいと考えられる。
【０１０３】
また、例えば図８（Ａ）に示すように、複数（例えば３つ）のサブ太陽光発電システムＳＹ１，ＳＹ２，ＳＹ３が一定距離以上離れて設置されている場合には、各サブ太陽光発電システムＳＹ１，ＳＹ２，ＳＹ３において各通信子機及び通信親機の通信相手の登録処理が終了した後に、通信子機と通信親機との間で太陽光発電の測定結果データが送受信される際に、サブ太陽光発電システム間において通信の干渉は生じにくいと考えられる。図８（Ａ）は、通信の干渉が生じない場合の各サブ太陽光発電システムＳＹ１，ＳＹ２，ＳＹ３の配置例を示す説明図である。各サブ太陽光発電システムＳＹ１，ＳＹ２，ＳＹ３は、少なくともデータロガー８０及び１つ以上のストリングのグループＳＴＲＧを有し、以下同様とする。
【０１０４】
しかし、例えば図８（Ｂ）に示すように、複数（例えば３つ）のサブ太陽光発電システムＳＹ１，ＳＹ２，ＳＹ３が近接して設置されている場合には、各サブ太陽光発電システムＳＹ１，ＳＹ２，ＳＹ３において各通信子機及び通信親機の通信相手の登録処理が終了した後に、通信子機と通信親機との間で太陽光発電の測定結果データが送受信される際には、サブ太陽光発電システム間において通信の干渉が生じると考えられる。図８（Ｂ）は、通信の干渉が生じる場合の各サブ太陽光発電システムＳＹ１，ＳＹ２，ＳＹ３の配置例を示す説明図である。
【０１０５】
そこで、本実施形態の変形例（以下、「本変形例」という）では、各サブ太陽光発電システムＳＹ１，ＳＹ２〜ＳＹｎ間における通信の干渉を抑制するために、時刻調整サーバの一例としてのＮＴＰサーバＴＰＳを設ける（図９（Ａ）参照）。図９（Ａ）は、本変形例の各サブ太陽光発電システムＳＹ１，ＳＹ２〜ＳＹｎ間におけるデータ収集可能時間の制御方法を示す説明図である。なお、各サブ太陽光発電システムＳＹ１，ＳＹ２〜ＳＹｎは、図１に示すサブ太陽光発電システムＳＹ１と同一の構成を有する。
【０１０６】
ＮＴＰサーバＴＰＳは、各サブ太陽光発電システムＳＹ１，ＳＹ２〜ＳＹｎに共通する基準時刻情報を管理し、各サブ太陽光発電システムＳＹ１，ＳＹ２〜ＳＹｎに同一の基準時刻情報を送信する。この基準時刻情報は、例えば各サブ太陽光発電システムＳＹ１，ＳＹ２〜ＳＹｎのデータロガー８０ＳＹ１，８０ＳＹ２〜８０ＳＹｎにおいて受信される。
【０１０７】
各データロガー８０ＳＹ１，８０ＳＹ２〜８０ＳＹｎは、ＮＴＰサーバＴＰＳから送信された基準時刻情報を用いて各データロガーにおける基準時刻を設定し、更に、各サブ太陽光発電システムＳＹ１，ＳＹ２〜ＳＹｎにおける通信子機と通信親機との間の太陽光発電の測定結果データの送受信を行うデータ収集可能時間（例えば１０分）を設定する。
【０１０８】
これにより、図９（Ｂ）に示すように、図９（Ａ）に示す各サブ太陽光発電システムＳＹ１，ＳＹ２〜ＳＹｎにおいて、通信子機と通信親機との間で太陽光発電の測定結果データの送受信のタイミングが異なり重複しないので、サブ太陽光発電システム間において通信の干渉が生じる確率が低減可能となる。図９（Ｂ）は、本変形例のサブ太陽光発電システムＳＹ１，ＳＹ２〜ＳＹｎ毎のデータ収集可能時間の説明図である。ｎ個のサブ太陽光発電システムＳＹ１，ＳＹ２〜ＳＹｎにおける全体データ収集時間は、サブ太陽光発電システムとデータ収集可能時間（例えば１０分）との積となる。
【０１０９】
なお、ｎ個のサブ太陽光発電システムＳＹ１，ＳＹ２〜ＳＹｎにおけるデータ収集可能時間のうち、最後の少なくとも１分は余裕時間ＭＲ１，ＭＲ２，ＭＲ３〜ＭＲｎとして設定される。即ち、ｎ個のサブ太陽光発電システムＳＹ１，ＳＹ２〜ＳＹｎでは、通信子機と通信親機との間で太陽光発電の測定結果データの送受信は行われないので、各データロガー８０ＳＹ１，８０ＳＹ２，８０ＳＹ３において少なくとも±３０秒の時刻ずれが生じていた場合でも、通信の干渉は生じにくくなる。
【０１１０】
なお、本変形例ではＮＴＰサーバＴＰＳを設け、各サブ太陽光発電システムＳＹ１，ＳＹ２〜ＳＹｎの各データロガー８０ＳＹ１，８０ＳＹ２〜８０ＳＹｎの基準時刻を同期させることができたが、基準時刻の同期方法はＮＴＰサーバＴＰＳを設ける方法に限定されない。
【０１１１】
例えば、各サブ太陽光発電システムＳＹ１，ＳＹ２〜ＳＹｎに太陽光の日射量を測定するための日射量計ＳＲ１，ＳＲ２〜ＳＲｎが設けられている場合に、各データロガー８０ＳＹ１，８０ＳＹ２，８０ＳＹ３は、各日射量計ＳＲ１，ＳＲ２〜ＳＲｎが所定の日射量閾値を超えた時刻（例えば太陽光発電が開始した時刻）を基準時刻として設定しても良い。これにより、各データロガー８０ＳＹ１，８０ＳＹ２，８０ＳＹ３における基準時刻は同期することができる。
【０１１２】
例えば、各サブ太陽光発電システムＳＹ１，ＳＹ２〜ＳＹｎにおいて、各データロガー８０ＳＹ１，８０ＳＹ２〜８０ＳＹｎは、特定のストリングにおける発電電流の平均値が所定の発電電流閾値を超えた時刻（例えば太陽光発電が開始した時刻）を基準時刻として設定しても良い。これにより、各データロガー８０ＳＹ１，８０ＳＹ２，８０ＳＹ３における基準時刻は同期することができる。
【０１１３】
以上により、本変形例の各サブ太陽光発電システムのデータロガー８０ＳＹ１，８０ＳＹ２〜８０ＳＹｎは、ＮＴＰサーバＴＰＳから送信された基準時刻情報を基に、各データロガー８０ＳＹ１，８０ＳＹ２〜８０ＳＹｎにおける基準時刻が同一となるように同期させる。これにより、各データロガー８０ＳＹ１，８０ＳＹ２〜８０ＳＹｎは、各データロガー８０ＳＹ１，８０ＳＹ２〜８０ＳＹｎの基準時刻が同期するので、サブ太陽光発電システムＳＹ１，ＳＹ２〜ＳＹｎ毎に設けられたデータ収集可能時間の中で太陽光発電の測定結果データの送受信における干渉の発生を抑制することができる。
【０１１４】
また、本変形例の各サブ太陽光発電システムのデータロガー８０ＳＹ１，８０ＳＹ２〜８０ＳＹｎは、各サブ太陽光発電システムＳＹ１，ＳＹ２〜ＳＹｎに設けられた各日射量計ＳＲ１，ＳＲ２〜ＳＲｎにより測定された太陽光の日射量が所定の日射量閾値を超えた時刻を、各データロガー８０ＳＹ１，８０ＳＹ２〜８０ＳＹｎにおける基準時刻として設定する。これにより、各データロガー８０ＳＹ１，８０ＳＹ２〜８０ＳＹｎは、各日射量計ＳＲ１，ＳＲ２〜ＳＲｎにより測定された太陽光の日射量が所定の日射量閾値を超えた時刻が各データロガー８０ＳＹ１，８０ＳＹ２〜８０ＳＹｎの基準時刻となるので、サブ太陽光発電システムＳＹ１，ＳＹ２〜ＳＹｎ毎に設けられたデータ収集可能時間の中で太陽光発電の測定結果データの送受信における干渉の発生を抑制することができる。
【０１１５】
また、本変形例の各サブ太陽光発電システムのデータロガー８０ＳＹ１，８０ＳＹ２〜８０ＳＹｎは、各サブ太陽光発電システムＳＹ１，ＳＹ２〜ＳＹｎの特定のストリングにおける発電電流の平均値が所定の発電電流閾値を超えた時刻を、各データロガー８０ＳＹ１，８０ＳＹ２〜８０ＳＹｎにおける基準時刻として設定する。これにより、各データロガー８０ＳＹ１，８０ＳＹ２〜８０ＳＹｎは、各サブ太陽光発電システムＳＹ１，ＳＹ２〜ＳＹｎの特定のストリングにおける発電電流の平均値が所定の発電電流閾値を超えた時刻が基準時刻となるので、サブ太陽光発電システム毎に設けられたデータ収集可能時間の中で太陽光発電の測定結果データの送受信における干渉の発生を抑制することができる。
【０１１６】
最後に、本発明に係るデータ収集システム及び通信機器登録方法の構成、作用及び効果について説明する。
【０１１７】
本発明の一実施形態は、複数の太陽光パネルにおける発電に関するデータを収集するデータ収集システムであって、所定数の通信子機を割当可能な複数の通信親機と、少なくとも１つの太陽光パネルにおける太陽光発電の所定物理量のデータを、割り当てられた通信親機に送信する複数の通信子機と、各通信親機に割り当てる通信子機を選択する通信機器割当装置と、を備え、前記通信機器割当装置は、各通信親機と各通信子機との間で伝送される各信号の強度を基に、各通信親機に前記所定数以下の通信子機を割り当てる、データ収集システムである。
【０１１８】
このシステム構成では、複数の通信親機は、所定数の通信子機を通信相手として割り当てる。複数の通信子機は、少なくとも１つの太陽光パネルにおける太陽光発電の所定物理量のデータを、割り当てられた通信親機に送信する。また、通信機器割当装置は、各通信親機に割り当てる通信子機を選択し、具体的には、各通信親機と各通信子機との間で伝送される各信号の強度を基に、各通信親機に所定数以下の通信子機を割り当てる。
【０１１９】
これにより、通信機器割当装置は、太陽光発電システムにおいて、それぞれのＰＶパネルの太陽光発電に関する所定物理量の測定結果データを互いに送受信する各通信子機と各通信親機との間の通信品質を用いて、１つの通信親機に対し、予め決められた既定台数以下の通信子機を通信相手として適応的に割り当てることができる。
【０１２０】
また、本発明の一実施形態は、前記複数の通信親機には第１の通信親機が含まれ、前記通信機器割当装置は、前記各信号の強度において、前記第１の通信親機との間で伝送される信号の強度が最大となる通信子機の少なくとも一部を前記第１の通信親機に割り当てる、データ収集システムである。
【０１２１】
このシステム構成では、通信機器割当装置は、第１の通信親機との間で伝送される信号の強度が最大となる通信子機の少なくとも一部を第１の通信親機に割り当てる。
【０１２２】
これにより、通信機器割当装置は、複数の通信親機のうち第１の通信親機との間で伝送される信号の強度が最大となる通信子機の全部ではなく一部に対してのみ、第１の通信親機を通信相手として割り当てるので、第１の通信親機の割当可能な台数を超えて通信子機を登録することを防ぐことができる。
【０１２３】
本発明の一実施形態は、前記複数の通信子機は第１の通信子機及び第２の通信子機を含み、前記通信機器割当装置は、前記第１の通信子機及び各通信親機間を伝送される各信号の強度を含む第１の信号強度群と、前記第２の通信子機及び各通信親機間を伝送される各信号の強度を含む第２の信号強度群とに基づいて、前記第１の通信子機に割り当てる通信親機を選択する、データ収集システムである。
【０１２４】
このシステム構成では、通信機器割当装置は、第１の通信子機と各通信親機との間を伝送される各信号の強度を含む第１の信号強度群と、第２の通信子機と各通信親機との間を伝送される各信号の強度を含む第２の信号強度群とを基に、第１の通信子機に割り当てる通信親機を選択する。
【０１２５】
これにより、通信機器割当装置は、太陽光発電システムにおいて、それぞれのＰＶパネルの太陽光発電に関する所定物理量の測定結果データを互いに送受信する第１の通信子機と各通信親機との間の通信品質と、第２の通信子機と各通信親機との間の通信品質とを考慮して、第１の通信子機に割り当てられる通信親機を適応的に選択することができる。
【０１２６】
また、本発明の一実施形態は、前記通信機器割当装置は、第１の信号強度群において所定の閾値を超える信号強度が１つである場合、前記所定の閾値を超える信号強度に対応する通信親機に前記第１の通信子機を割り当てる、データ収集システムである。
【０１２７】
このシステム構成では、通信機器割当装置は、第１の信号強度群において所定の閾値を超える信号強度が１つである場合には、所定の閾値を超える信号強度に対応する通信親機の通信相手として、第１の通信子機を割り当てる。
【０１２８】
これにより、通信機器割当装置は、特定の通信子機において安定した通信の継続が可能な通信親機が１つしかない場合には、当該特定の通信子機の通信相手として、当該通信親機を優先的に登録することができる。
【０１２９】
また、本発明の一実施形態は、前記通信機器割当装置が、第１の信号強度群において所定の閾値を超える信号強度が複数である場合、前記第１の信号強度群及び前記第２の信号強度群を基に、前記第１の通信子機に割り当てる通信親機を選択する、データ収集システムである。
【０１３０】
このシステム構成では、通信機器割当装置は、第１の信号強度群において所定の閾値を超える信号強度が２つ以上である場合には、第１の信号強度群及び第２の信号強度群を基に、第１の通信子機に割り当てる通信親機を選択する。
【０１３１】
これにより、通信機器割当装置は、特定の通信子機において安定した通信の継続が可能な通信親機が複数ある場合には、第１の信号強度群と第２の信号強度群との大きさを比べて、第１の通信子機に割り当てる通信親機を適応的に選択することができる。
【０１３２】
また、本発明の一実施形態は、前記複数の通信親機には第１の通信親機が含まれ、
前記通信機器割当装置は、
前記第１の信号強度群及び前記第２の信号強度群において、最大となる信号強度に対応する通信親機が共に前記第１の通信親機である場合、前記第１の通信親機に対応する各最大信号強度と他の１つ以上の通信親機に対応する各信号強度の平均値との差分が大きい前記第１の通信子機又は前記第２の通信子機を、前記第１の通信親機に優先して割り当てる、データ収集システムである。
【０１３３】
このシステム構成では、通信機器割当装置は、第１の通信子機及び第２の通信子機が第１の通信親機から受信した信号の受信強度が最大である場合、第１の通信親機からの各最大受信強度と他の１つ以上の通信親機からの各受信強度の平均値との差分が大きい通信子機を、第１の通信親機の通信相手として決定する。
【０１３４】
これにより、通信機器割当装置は、特定の通信子機において安定した通信の継続が可能な通信親機が第１の通信親機及び第２の通信親機と２つある場合、最大受信強度が得られた第１の通信親機を特定の通信子機の通信相手として登録しなくても、第２の通信親機を特定の通信子機の通信相手として登録できるので、特定の通信子機の通信相手として登録する通信親機の優先度を適応的に変更することができる。
【０１３５】
また、本発明の一実施形態は、前記通信機器割当装置が、情報又はデータを表示する表示部、を有し、前記通信子機を所定の通信親機に割り当てた旨、又は前記通信子機を所定の通信親機に割り当てなかった旨を表示する表示部を更に備える、データ収集システムである。
【０１３６】
このシステム構成では、通信機器割当装置は、通信子機及び通信親機の通信相手を割り当てた旨、又は通信子機及び通信親機の通信相手を割り当てなかった旨を表示部に表示させる。
【０１３７】
これにより、通信機器割当装置は、通信子機及び通信親機の通信相手の登録の成功の可否を視覚的に明示することができる。
【０１３８】
また、本発明の一実施形態は、前記データ収集システムが、前記複数の通信子機と前記複数の通信親機と前記通信機器割当装置とを含む、複数のサブデータ収集システムと、前記複数のサブデータ収集システムに基準時刻情報を送信する時刻調整サーバと、を有し、前記複数のサブデータ収集システムの各通信機器割当装置が、前記時刻調整サーバから送信された基準時刻情報を基に、前記各通信機器割当装置における基準時刻を同期させる、データ収集システムである。
【０１３９】
このシステム構成では、各サブデータ収集システムの各通信機器割当装置は、時刻調整サーバから送信された基準時刻情報を基に、各通信機器割当装置における基準時刻が同一となるように同期させる。
【０１４０】
これにより、各サブデータ収集システムの各通信機器割当装置は、各通信機器割当装置の基準時刻が同期するので、サブデータ収集システム毎に設けられたデータ収集可能時間の中で太陽光発電の測定結果データの送受信における干渉の発生を抑制することができる。
【０１４１】
また、本発明の一実施形態は、前記データ収集システムが、前記複数の通信子機と前記複数の通信親機と前記通信機器割当装置と太陽光の日射量を測定する日射量計とを含む、複数のサブデータ収集システムを有し、前記複数のサブデータ収集システムの各通信機器割当装置が、前記各日射量計により測定された前記太陽光の日射量が所定の日射量閾値を超えた時刻を、前記各通信機器割当装置における基準時刻として設定する、データ収集システムである。
【０１４２】
このシステム構成では、各サブデータ収集システムの各通信機器割当装置は、各サブデータ収集システムに設けられた各日射量計により測定された太陽光の日射量が所定の日射量閾値を超えた時刻を、各通信機器割当装置における基準時刻として設定する。
【０１４３】
これにより、各サブデータ収集システムの各通信機器割当装置は、各日射量計により測定された太陽光の日射量が所定の日射量閾値を超えた時刻が各通信機器割当装置の基準時刻となるので、サブデータ収集システム毎に設けられたデータ収集可能時間の中で太陽光発電の測定結果データの送受信における干渉の発生を抑制することができる。
【０１４４】
また、本発明の一実施形態は、前記データ収集システムが、前記複数の通信子機と前記複数の通信親機と前記通信機器割当装置とを含む、複数のサブデータ収集システムを有し、前記複数のサブデータ収集システムの各通信機器割当装置が、前記各サブデータ収集システムの特定の太陽光パネルにおける発電電流の平均値が所定の発電電流閾値を超えた時刻を、前記各通信機器割当装置における基準時刻として設定する、データ収集システムである。
【０１４５】
このシステム構成では、各サブデータ収集システムの各通信機器割当装置は、各サブデータ収集システムの特定の太陽光パネルにおける発電電流の平均値が所定の発電電流閾値を超えた時刻を、各通信機器割当装置における基準時刻として設定する。
【０１４６】
これにより、各サブデータ収集システムの各通信機器割当装置は、各サブデータ収集システムの特定のＰＶパネルにおける発電電流の平均値が所定の発電電流閾値を超えた時刻が基準時刻となるので、サブデータ収集システム毎に設けられたデータ収集可能時間の中で太陽光発電の測定結果データの送受信における干渉の発生を抑制することができる。
【０１４７】
また、本発明の一実施形態は、複数の通信子機及び複数の通信親機によって、複数の太陽光パネルにおける発電に関するデータを収集するデータ収集システムにおける通信機器登録方法であって、所定数の通信子機を割当可能な各通信親機に割り当てる通信子機を選択するステップと、各通信子機において、少なくとも１つの太陽光パネルにおける太陽光発電の所定物理量のデータを割り当てられた通信親機に送信するステップと、を有し、各通信親機は、各通信子機各通信親機と各通信子機との間で伝送される各信号の強度を基に、各通信親機に前記所定数以下の通信子機を割り当てる、通信機器登録方法。である。
【０１４８】
この方法では、複数の通信親機は、所定数の通信子機を通信相手として割り当てる。複数の通信子機は、少なくとも１つの太陽光パネルにおける太陽光発電の所定物理量のデータを、割り当てられた通信親機に送信する。また、通信機器割当装置は、各通信親機に割り当てる通信子機を選択し、具体的には、各通信親機と各通信子機との間で伝送される各信号の強度を基に、各通信親機に所定数以下の通信子機を割り当てる。
【０１４９】
これにより、通信機器割当装置は、太陽光発電システムにおいて、それぞれのＰＶパネルの太陽光発電に関する所定物理量の測定結果データを互いに送受信する各通信子機と各通信親機との間の通信品質を用いて、１つの通信親機に対し、予め決められた既定台数以下の通信子機を通信相手として適応的に割り当てることができる。
【０１５０】
以上、図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【０１５１】
本発明は、ＰＶパネルの発電による所定物理量の測定結果データの送受信を行う通信子機と通信親機との間の通信品質に応じて、通信子機及び通信親機における通信相手の登録の優先度を適応的に変更するデータ収集システム及び通信機器登録方法に有用である。
【符号の説明】
【０１５２】
１１Ａ１、１１Ａ２、１１Ａ３、１２Ａ１、１２Ａ２、１２Ａ３、１３Ａ１、１３Ａ２、１３Ａ３、１ｎＡ１、１ｎＡ２、１ｎＡ３  ＰＶパネル
２１Ａ１、２２Ａ１、２３Ａ１、２１０Ａ１、２ｎＡ１  通信子機
４１２、４３４、４（ｎ−１）ｎ  接続箱
５０  パワーコンディショナ
６１Ａ１、６ｎＡ１  中継機
７１Ａ１、７２Ａ１、７３Ａ１、７ｎＡ１  通信親機
８０、８０ＳＹ１、８０ＳＹ２、８０ＳＹｎ  データロガー
８１  操作部
８２  Ｉ／Ｆ部
８３  登録モード管理部
８４  受信レベルＤＢ生成部
８５  登録機器決定部
８６  太陽光発電システムＤＢ
８７  通信部
９０  モニタ端末
１０００  太陽光発電システム
ＳＲ１、ＳＲ２、ＳＲｎ  日射量計
ＳＴＢ  安定通信可能レベル
ＳＴＲ１、ＳＴＲ２、ＳＴＲ３、ＳＴＲ１０、ＳＴＲｎ  ストリング
ＳＹ１、ＳＹ２、ＳＹ３、ＳＹｎ  サブ太陽光発電システム
【図１】
2015192382.tif 000003
【図２】
2015192382.tif 000004
【図３】
2015192382.tif 000005
【図４】
2015192382.tif 000006
【図５】
2015192382.tif 000007
【図６】
2015192382.tif 000008
【図７】
2015192382.tif 000009
【図８】
2015192382.tif 000010
【図９】
2015192382.tif 000011
【図１０】
2015192382.tif 000012